(57)【要約】  本発明は、移動通信システムでマルチメディア放送/多重放送サービスを支援することによる制御情報の伝送において、移動端末機に制御情報の存在有無を知らせる呼び出し方法を提供する。したがって、本発明は、音声及びパケットサービスによる呼び出しと放送サービスによる呼び出しを区分して提供する。そのために、音声及びパケットサービスによる呼び出しを識別するための呼び出し識別チャンネルと放送サービスによる呼び出しを識別するための呼び出し識別チャンネルを区分して使用する。
2007510356.tif 000002
【特許請求の範囲】
【請求項１】
少なくとも一つの移動端末機と、前記少なくとも一つの移動端末機に対してマルチメディアブロードキャスト/マルチキャストサービス(ＭＢＭＳ)を提供する無線接続網を有する移動通信システムで、前記無線接続網が前記ＭＢＭＳのために前記移動端末機を呼び出す方法であって、
前記放送サービスの呼び出しがあることを識別するための呼び出し識別チャンネルに関する第１のチャンネル情報を、少なくとも一つの移動端末機に伝送する段階と、
前記放送サービスの呼び出し情報を伝送するための制御チャンネルに関する第２のチャンネル情報を、前記移動端末機に伝送する段階と、
前記放送サービスに対応して前記移動端末機の呼び出し要求が発生するときに、前記放送サービスに対応して呼び出し識別チャンネルを伝送する段階と、
前記呼び出し識別チャンネルの伝送に対応して、前記放送サービスの呼び出し情報を前記制御チャンネルを通じて伝送する段階と
を有することを特徴とする方法。
【請求項２】
前記第１のチャンネル情報は、音声及びパケットサービスの呼び出しがあることを識別するための呼び出し識別チャンネルに関するチャンネル情報を含み、前記第２のチャンネル情報は、前記音声及びパケットサービスの呼び出し情報を伝送するための制御チャンネルに関するチャンネル情報を含むことを特徴とする請求項１記載の方法。
【請求項３】
前記呼び出し識別チャンネルと前記制御チャンネルは、所定間隔で伝送されることを特徴とする請求項１記載の方法。
【請求項４】
前記所定間隔は、２５６＊ｋ(ｋ＝１，２，３，…，１４９)の整数倍の値であることを特徴とする請求項３記載の方法。
【請求項５】
前記第１のチャンネル情報と前記第２のチャンネル情報は、放送チャンネルのシステム情報ブロックに含まれて伝送されることを特徴とする請求項１記載の方法。
【請求項６】
前記放送サービスに対応する呼び出し識別チャンネルは、不連続受信(Ｄｉｓｃｒｅｔｅ  Ｒｅｃｅｐｔｉｏｎ：ＤＲＸ)周期により伝送されることを特徴とする請求項１記載の方法。
【請求項７】
前記制御チャンネルは、放送サービス制御チャンネル(ＭＢＭＳ  Ｃｏｎｔｒｏｌ  Ｃｈａｎｎｅｌ：ＭＣＣＨ）を有する第２の共通制御物理チャンネル(Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ：Ｓ-ＳＣＣＰＣＨ)であることを特徴とする請求項１記載の方法。
【請求項８】
少なくとも一つの移動端末機と、前記少なくとも一つの移動端末機に対してマルチメディアブロードキャスト/マルチキャストサービス(ＭＢＭＳ)を提供する無線接続網を有する移動通信システムで、前記移動端末機が前記無線接続網から前記放送サービスのための呼び出しを受信する方法であって、
前記放送サービスの呼び出しがあることを識別するための呼び出し識別チャンネルに関する第１のチャンネル情報を受信する段階と、
前記無線接続網から前記放送サービスの呼び出し情報を伝送するための制御チャンネルに関する第２のチャンネル情報を受信する段階と、
前記無線接続網からの前記呼び出し識別チャンネルを前記第１のチャンネル情報を通じて受信する段階と、
前記放送サービスに対応する制御チャンネルの伝送が前記呼び出し識別チャンネルによって確認されると、前記無線接続網からの前記制御チャンネルを前記第２のチャンネル情報を通じて受信する段階と、
前記制御チャンネルを通じて受信した呼び出し情報により前記放送サービスが呼び出したか否かを確認する段階と
を含むことを特徴とする方法。
【請求項９】
前記第１のチャンネル情報は、音声及びパケットサービスの呼び出しがあることを識別するための呼び出し識別チャンネルに関するチャンネル情報を含み、前記第２のチャンネル情報は、前記音声及びパケットサービスの呼び出し情報を伝送するための制御チャンネルに関するチャンネル情報を含むことを特徴とする請求項８記載の方法。
【請求項１０】
前記呼び出し識別チャンネルと前記制御チャンネルは、所定間隔で伝送されることを特徴とする請求項８記載の方法。
【請求項１１】
前記所定間隔は、２５６＊ｋ(ｋ＝１，２，３，…，１４９)の整数倍の値であることを特徴とする請求項１０記載の方法。
【請求項１２】
前記第１のチャンネル情報と前記第２のチャンネル情報は、放送チャンネルのシステム情報ブロックに含まれて伝送されることを特徴とする請求項８記載の方法。
【請求項１３】
前記放送サービスに対応する呼び出し識別チャンネルは、不連続受信(ＤＲＸ)周期に基づいて伝送されることを特徴とする方法。
【請求項１４】
前記呼び出し識別チャンネルの受信は、下記の式により決定される時点で遂行されることを特徴とする請求項８記載の方法。
（式１）
ＭＢＭＳ  ＰＩ＝ＴＭＧＩ  ｍｏｄ  ＮＭｐ
ここで、ＮＭｐは放送サービスのために一つの無線フレームに伝送される呼び出し識別子(ＰＩ）の数を意味し、ＴＭＧＩは臨時放送サービスグループ識別子(ＴｅｍＰＯｒａｒｙ  ＭＢＭＳ  Ｇｒｏｕｐ  Ｉｄｅｎｔｉｔｙ)である。
【請求項１５】
前記制御チャンネルは、放送サービス制御チャンネル(ＭＣＣＨ)を有する第２の共通制御物理チャンネル(Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ：Ｓ-ＳＣＣＰＣＨ)であることを特徴とする請求項８記載の方法。
【発明の詳細な説明】
【技術分野】
【０００１】
本発明は、移動通信システムにおけるマルチメディアブロードキャスト/マルチキャストサービス(Ｍｕｌｔｉｍｅｄｉａ  Ｂｒｏａｄｃａｓｔ/Ｍｕｌｔｉｃａｓｔ  Ｓｅｒｖｉｃｅ：以下、“ＭＢＭＳ”とする)に関するもので、特に、放送サービスに関する制御情報の存在有無を知らせるための呼び出し方法に関するものである。
【背景技術】
【０００２】
最近、通信技術の発達によって符号分割多重接続(Ｃｏｄｅ  ＤｉｖｉｓｉｏｎＭｕｌｔｉｐｌｅ  Ａｃｃｅｓｓ：以下、“ＣＤＭＡ”とする)移動通信システムでは、音声サービスだけでなく大容量のデータを伝送するパケットサービスが提供されている。なお、ＣＤＭＡ移動通信システムは、マルチメディアサービスを伝送することができるマルチメディア放送/通信システムに発展している。加えて、少なくとも一つ以上のマルチメディアデータソースから複数の移動端末機(Ｕｓｅｒ  Ｅｑｕｉｐｍｅｎｔ：以下、“ＵＥ”とする)にサービスが提供される放送サービスが論議されている。放送サービスとしては、３ＧＰＰ(３ｒｄ  Ｇｅｎｅｒａｔｉｏｎ  Ｐｒｏｊｅｃｔ  Ｐａｒｔｎｅｒｓｈｉｐ)で提案されたＭＢＭＳがある。
【０００３】
ＭＢＭＳは、リアルタイムの映像及び音声データ、静止画像、文字などデータを伝送するためのマルチメディア伝送形態を支援する。したがって、ＭＢＭＳは大量の伝送リソースを要求する。また、複数のＵＥが同一のＭＢＭＳを要求する可能性があるため、このＭＢＭＳは放送チャンネルを通じて提供可能である。
【０００４】
ＭＢＭＳは、次の２つのサービス形態に大別される。第１に、ポイントツーポイント(Ｐｏｉｎｔ  ｔｏ  Ｐｏｉｎｔ：以下、“ＰｔＰ”とする)サービスがある。この場合に、ＵＥ別に専用チャンネルが割り当てられなければならない。第２に、ポイントツーマルチポイント(Ｐｏｉｎｔ  ｔｏ  Ｍｕｌｔｉｐｏｉｎｔ：以下、“ＰｔＭ”とする)サービスがある。この場合、同一のＭＢＭＳを要求したＵＥに対しては共通チャンネルが割り当てられなければならない。
【０００５】
図１は、ＭＢＭＳを提供するための無線接続網(ＵＴＲＡＮ)を示す図である。
図１を参照すると、ＵＥ１３０は、該当ＭＢＭＳを直接受信する役割をし、このＭＢＭＳを支援するハードウェア或いはソフトウェアを有している。ＵＴＲＡＮ(ＵＭＴＳ  Ｔｅｒｒｅｓｔｒｉａｌ  Ｒａｄｉｏ  Ａｃｃｅｓｓ  Ｎｅｔｗｏｒｋ）は、ＵＥ１３０とＣＮ１００とを接続する無線通信網である。ＵＴＲＡＮは、複数の無線網システム(Ｒａｄｉｏ  Ｎｅｔｗｏｒｋ  Ｓｙｓｔｅｍ：以下、“ＲＮＳ”とする)１１０，１２０で構成される。ＲＮＳ１１０は、一つのＲＮＣ１１１と、このＲＮＣ１１１によって制御される複数のＮｏｄｅ  Ｂ１１３，１１５とから構成される。また、ＲＮＳ１２０は、ＲＮＣ１１２と、このＲＮＣ１１２によって制御される複数のＮｏｄｅ  Ｂ１１４，１１６とから構成される。すなわち、 ＲＮＳ１１０は、ＲＮＣ１１１と、このＲＮＣ１１１の制御を受ける第１のＮｏｄｅ  Ｂ１１３と第２のＮｏｄｅ  Ｂ１１５と、第１のＮｏｄｅ  Ｂ１１３と第２のＮｏｄｅ  Ｂ１１５の制御を受ける複数のセルとを含む。同様に、ＲＮＳ１２０は、ＲＮＣ１１２と、このＲＮＣ１１２によって制御される第３のＮｏｄｅ  Ｂ１１４と第４のＮｏｄｅ  Ｂ１１６と、第３のＮｏｄｅ  Ｂ１１４と第４のＮｏｄｅ  Ｂ１１６の制御を受ける複数のセルとを含む。通常、ＲＮＣによって制御されるＮｏｄｅ  Ｂの総数と、Ｎｏｄｅ  Ｂに含まれるセルの数は、サービス事業者又はＲＮＣ及びＮｏｄｅ  Ｂの性能によって決定される。
【０００６】
ＵＥ１３０は、Ｕｕインターフェース１２１を通じてＵＴＲＡＮと接続され、このＵＴＲＡＮは、ＣＮ１００とＩｕインターフェース１２２を通じて接続される。それぞれのノードを接続する該当インターフェースは、下記の表１のようである。表１のインターフェースに対する名称は、３ＧＰＰ標準に規定されているものを使用し、その名称は変更が可能である。
【０００７】
【表１】
2007510356.tif 000003
【０００８】
図２は、ＵＴＲＡＮプロトコルの構造を概略的に示す図である。図２を参照すると、ＵＴＲＡＮで処理される上位階層のメッセージは、大きく制御データとユーザーデータに分けられる。
図２に、制御空間(Ｃｏｎｔｒｏｌ  Ｐｌａｉｎ)シグナリング２０１とユーザー空間(Ｕｓｅｒ  Ｐｌａｉｎ)データ２０２を示す。制御空間シグナリング２０１及びユーザー空間データ２０２は、非接近階層(Ｎｏｎ  Ａｃｃｅｓｓ  Ｓｔｒａｔｕｍ：以下、“ＮＡＳ”とする)のメッセージである。ＮＡＳメッセージは、ＵＥとＵＴＲＡＮとの間の無線接続に使用されないメッセージを示すもので、ＵＴＲＡＮがその内容をわかる必要のないメッセージである。ＮＡＳメッセージとは異なって、ＵＴＲＡＮとＵＥとの無線接続に直接使用されるメッセージは接近階層(Ａｃｃｅｓｓ  Ｓｔｒａｔｕｍ：以下、“ＡＳ”とする)メッセージと称する。ＡＳメッセージは、無線リソース制御(Ｒａｄｉｏ  Ｒｅｓｏｕｒｃｅ  Ｃｏｎｔｒｏｌ：以下、“ＲＲＣ”とする)２０３以下の領域で使用されるデータ或いは制御シグナルを称する。
【０００９】
ＲＲＣ２０３は、ＵＥとＵＴＲＡＮとの接続に関係される物理階層(Ｐｈｙｓｉｃａｌ  Ｌａｙｅｒ：以下、“Ｌ１”とする)と、階層２の媒体接続制御部(Ｍｅｄｉｕｍ  Ａｃｃｅｓｓ  Ｃｏｎｔｒｏｌ：以下、“Ｌ２/ＭＡＣ”とする)と、無線リンク制御部(Ｒａｄｉｏ  Ｌｉｎｋ  Ｃｏｎｔｒｏｌ：以下、“Ｌ２/ＲＬＣ”とする)と、階層２のパケットデータ変換プロトコル部(Ｐａｃｋｅｔ  Ｄａｔａ  Ｃｏｎｖｅｒｇｅｎｃｙ  Ｐｒｏｔｏｃｏｌ：以下、“Ｌ２/ＰＤＣＰ”とする)と、階層２の放送/多重放送制御部(Ｂｒｏａｄｃａｓｔ/Ｍｕｌｔｉｃａｓｔ  Ｃｏｎｔｒｏｌ：以下、“Ｌ２/ＢＭＣ”とする)とを制御する。また、ＲＲＣ２０３は、ＵＥとＵＴＲＡＮとの間の物理呼設定、論理呼設定、制御情報送受信、特定データ送受信のようなＵＥと及びＵＴＲＡＮとの接続に関係されるすべてのことを制御する役割を果たす。
【００１０】
Ｌ２/ＰＤＣＰ２０４は、ＮＡＳ階層からのデータを受信し、適切なプロトコルを使用してＬ２/ＲＬＣ２０６に伝送する。Ｌ２/ＢＭＣ２０５は、放送及び多重放送に必要なデータをＮＡＳ階層から受信し、適切なプロトコルを使用してＬ２/ＲＬＣ３０６に伝送する。Ｌ２/ＲＬＣ２０６は、ＲＲＣ２０３からＵＥに送信される制御メッセージを受信する。そして、制御メッセージの特性を考慮して、第１のＲＬＣ２６１及び第ｎのＲＬＣ２６２で適切な形態で加工した後、論理チャンネル２０７を通じてＬ２/ＭＡＣ２０８に伝送される。また、Ｌ２/ＲＬＣ２０６は、Ｌ２/ＰＤＣＰ２０４及びＬ２/ＢＭＣ２０５からデータを受信して第１のＲＬＣ２６３及び第ｎのＲＬＣ２６４で適切な形態で加工した後に、論理チャンネル２０７を通じてＬ２/ＭＡＣ２０８に伝送する。Ｌ２/ＲＬＣ２０６に複数のＲＬＣが形成されることは、ＵＥとＵＴＲＡＮとの無線リンクの数によって決定される。
【００１１】
論理チャンネル２０７は、大きく任意のＵＥに対する専用(Ｄｅｄｉｃａｔｅｄ)タイプの論理チャンネルと、複数のＵＥに対する共用(Ｃｏｍｍｏｎ)タイプの論理チャンネルに分けられる。また、論理チャンネル２０７は、メッセージに乗せられる情報が制御情報に関連したデータである場合に使用される制御タイプ論理チャンネルと、メッセージがトラフィック情報に関連したデータである場合に使用されるトラフィックタイプの論理チャンネルに分けられる。
３ＧＰＰで使用される論理チャンネル２０７のタイプと役割は、次の表２のようである。
【００１２】
【表２】
2007510356.tif 000004
【００１３】
Ｌ２/ＭＡＣ２０８は、ＲＲＣ２０３の制御によって、ＵＥとＵＴＲＡＮとの間の無線リソースを管理したり、ＵＥとＵＴＲＡＮとの間の接続を管理する。したがって、Ｌ２/ＭＡＣ２０８は、Ｌ２/ＲＬＣ２０６から表２に示したような該当論理チャンネルを受信し、下記の表３に示す伝送チャンネル２０９にマッピングさせてＬ１  ２１０に伝送する。
【００１４】
【表３】
2007510356.tif 000005
【００１５】
表３に示していないが、逆方向共有チャンネル(Ｕｐ-ｌｉｎｋ  Ｓｈａｒｅｄ  Ｃｈａｎｎｅｌ)、共通パケットチャンネル(Ｃｏｍｍｏｎ  Ｐａｃｋｅｔ  Ｃｈａｎｎｅｌ)などの伝送チャンネルの使用も可能である。しかしながら、本発明とは直接的な関連がないため、その説明を省略する。
【００１６】
図２のＬ１  ２１０に伝送された伝送チャンネル２０９は、適切な過程を経て実際の物理チャンネルに対応し、ＵＥ或いはＵＴＲＡＮに伝送される。物理チャンネルは、第１の共通制御物理チャンネル(Ｐｒｉｍａｒｙ  Ｃｏｍｍｏｎ  Ｃｏｎｔｒｏｌ  Ｐｈｙｓｉｃａｌ  Ｃｈａｎｎｅｌ：以下、“Ｐ-ＣＣＰＣＨ”とする)と、第２の共通制御物理チャンネル(Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ：以下、“Ｓ-ＣＣＰＣＨ”とする)、呼び出し指示チャンネル(Ｐａｇｉｎｇ  Ｉｎｄｉｃａｔｏｒ  Ｃｈａｎｎｅｌ：以下、“ＰＩＣＨ”とする)、獲得指示チャンネル(Ａｃｑｕｉｓｉｔｉｏｎ  Ｉｎｄｉｃａｔｏｒ  Ｃｈａｎｎｅｌ：以下、“ＡＩＣＨ”とする)、物理共通パケットチャンネル(Ｐｈｙｓｉｃａｌ  Ｃｏｍｍｏｎ  Ｐａｃｋｅｔ  Ｃｈａｎｎｅｌ：以下、“ＰＣＰＣＨ”とする)などがある。Ｐ-ＣＣＰＣＨを通じて放送チャンネル(Ｂｒｏａｄｃａｓｔｉｎｇ  Ｃｈａｎｎｅｌ：以下、“ＢＣＨ”とする）を伝送し、Ｓ-ＣＣＰＣＨを通じては呼び出しチャンネル(Ｐａｇｉｎｇ  Ｃｈａｎｎｅｌ：以下、“ＰＣＨ”とする)、及び下方アクセスチャンネル(Ｆｏｒｗａｒｄ  Ａｃｃｅｓｓ  Ｃｈａｎｎｅｌ：以下、“ＦＡＣＨ”とする）を伝送する。
【００１７】
任意のＭＢＭＳを提供するためには、ＵＴＲＡＮ１１０から上記のＭＢＭＳに関する基本情報及びサービス案内情報が複数のＵＥに伝送されるべきである。ＭＢＭＳに関する基本情報及び案内を受信したＵＥ１３０が、ＭＢＭＳを受信しようとする場合に、ＵＥ１３０は、ＣＮ１００に登録するようになり、これを“参加(Ｊｏｉｎｉｎｇ)”と呼ばれる。その後、ＵＥ１３０を含んでＭＢＭＳを要求した複数のＵＥのリストは、ＣＮ１００を構成するノード(例えば、図１のＢＭ-ＳＣ、ＳＧＳＮ、及びＵＴＲＡＮ)に伝送される。
【００１８】
任意のＭＢＭＳを要求したＵＥのリストを受信したＣＮ１００と、このＣＮ１００と接続されているＵＴＲＡＮ１１０，１２０は、ＵＥ１３０を含んだ複数のＵＥに呼び出し(ｐａｇｉｎｇ)メッセージを伝送する。無線ベアラ(Ｒａｄｉｏ  Ｂｅａｒｅｒ：以下、“ＲＢ”とする)は、ＭＢＭＳを提供するために設定する。ＣＮ１００は、設定された無線ベアラを通じて該当ＵＥに該当ＭＢＭＳを提供することが可能になる。
【００１９】
一方、ＭＢＭＳが終了すると、このサービスの終了がすべてのＵＥに通報されなければならない。したがって、ＵＥを管理しているＣＮ１００及びＵＴＲＡＮ１２０は、ＭＢＭＳのためにＵＥに割り当てられた無線リソースを解除し、それによって任意のＭＢＭＳが終了される。
任意のＭＢＭＳがＵＥに提供される状態で、ＭＢＭＳに関連した複数の制御メッセージがＭＢＭＳを受信するＵＥに伝送される。ここで、ＵＥに制御メッセージが存在することを效果的に知らせる方法が必要である。 
現在、３ＧＰＰでは従来の音声通話やパケット通話のために使用した呼び出し方法をＭＢＭＳにおける呼び出し方法として使用する方案を議論している。
【００２０】
図３は、従来のＭＢＭＳに関する制御情報の存在を知らせるための呼び出し手順を示す図で、図４は従来の呼び出し識別チャンネルの構造を示す図である。
図３を参照すると、音声通話やパケット通話のためにＵＥを呼び出す方法は、ＰＩＣＨ３０１とＳ-ＣＣＰＣＨ３０２が使用される。Ｓ-ＣＣＰＣＨ３０２は、ＰＣＣＨ(論理チャンネル)が伝送されるＰＣＨ(伝送チャンネル)を含む。ＰＩＣＨ３０１の構造は、図４に示す。ＰＩＣＨ３０１は、長さ１０ｍｓを有する無線フレーム(３ＧＰＰで物理チャンネルの伝送の基本単位)で２８８ビットを伝送することができ、それぞれのＵＥを呼び出しグループに区別して呼び出す。呼び出しグループの数は、１４４，７２，３６，１８のうちいずれか一つとなり、それぞれの呼び出しグループのＰＩに使用されるビット数は２，４，８，１６となりうる。
【００２１】
ＵＥは、ＵＴＲＡＮ或いはＣＮによって定められた不連続受信(ＤｉｓｃｒｅｔｅＲｅｃｅｐｔｉｏｎ：以下、“ＤＲＸ”とする)周期により、一定期間ごとに一回ずつ受信器の電源をオンとしてＵＥに割り当てられたＰＩＣＨ３０１を確認する。これは、ＵＥが持続的に無線信号を受信する必要がない場合に、このＵＥ受信器の電源をオフとすることで、受信機のバッテリーの電力が浪費されることを防止する。
【００２２】
図３において、ＵＥ呼び出し発生(Ｐａｇｉｎｇ  Ｏｃｃａｓｉｏｎ：以下、“ＰＯ”とする)３１１は、ＵＥのＤＲＸ周期により計算された値である。ＰＯ３１１で受信したＰＩＣＨの呼び出しインジケータ(Ｐａｇｉｎｇ  Ｉｎｄｉｃａｔｏｒ：以下、“ＰＩ”とする）が正の値であると、ＵＥは、７６８０チップ(約２.００ｍｓ)後に伝送されるＳ-ＣＣＰＣＨ３０２を受信する。ＵＥは、Ｓ-ＣＣＰＣＨ３０２を通じてＵＥに対する呼び出しメッセージを伝送するＰＣＣＨ/ＰＣＨが存在するかを確認する。ＵＥに対する呼び出しメッセージが存在しないと、ＵＥは、再び次のＰＯまで受信器の電源をオフ状態とする。ＰＯ３１１で受信したＰＩＣＨのＰＩが負の値であると、ＵＥは受信器の電源をオフとした後に次のＰＯを待機する。
【００２３】
ＵＥにＭＢＭＳに関連した制御メッセージの存在有無及びデータの伝送有無を知らせる方法では、ＰＩＣＨ３０１、ＭＢＭＳ ＰＯ３１２、Ｓ-ＣＣＰＣＨ３０２、或いはＳ-ＣＣＰＣＨ３０３が用いられる。ＰＩＣＨ３０１は、ＵＥ或いは他のＵＥに音声呼或いはパケット呼の呼び出し有無を知らせるチャンネルで、全体ＭＢＭＳ或いはＭＢＭＳ別に設定されたＭＢＭＳ ＰＯ３１２は、ＭＢＭＳに対する呼び出しのために専用される。ＭＢＭＳに関する制御情報を伝送するＭＢＭＳ制御論理チャンネル(ＭＢＭＳ Ｃｏｎｔｒｏｌ  Ｃｈａｎｎｅｌ：以下、“ＭＣＣＨ”とする）は、Ｓ-ＣＣＰＣＨ３０３を通じて伝送される。このとき、Ｓ-ＣＣＰＣＨ３０３は、Ｓ-ＣＣＰＣＨ３０２とは異なるＳ-ＣＣＰＣＨとなりうる。Ｓ-ＣＣＰＣＨ３０２は、ＭＢＭＳに対する制御メッセージの存在有無を知らせるメッセージをＰＣＣＨを通じて伝送される場合に使用される。このＭＣＣＨが、ＭＢＭＳに対する制御メッセージの存在有無を知らせるメッセージを伝送すると仮定する。
【００２４】
ＵＥが、ＭＢＭＳに関連した制御メッセージの存在有無を分かるようにする過程について説明すると、次のようである。ＭＢＭＳ ＰＯ３１２で受信器の電源をオンとしたＵＥは、ＰＩＣＨ３０１を通じて自分が加入したＭＢＭＳに対するＰＩを受信する。ＭＢＭＳ ＰＯ３１２の長さは、ＰＩＣＨを構成する一つの無線フレームの長さ(１０ｍｓ)と同一であり、或いはそれより短いこともある。ＵＥは、受信したＭＢＭＳに対するＰＩが正の値であると、Ｓ-ＣＣＰＣＨ３０３を受信してＭＢＭＳに対する存在有無が分かるメッセージを受信する。 
【００２５】
ＭＢＭＳに対する制御メッセージの存在有無或いはＭＢＭＳデータの伝送有無を知らせる従来の呼び出し方法に対する問題点は、次のようである。
第１に、従来ではＭＢＭＳを支援しないＵＥが使用するＰＩＣＨをＭＢＭＳ ＰＯに専用して使用することである。したがって、ＭＢＭＳ ＰＯと自分が有しているＰＯが重なるＵＥは不必要にＳ-ＣＣＰＣＨを復調する場合が発生する。ＭＢＭＳ ＰＯがサービス別に定義されると、複数のＭＢＭＳに加入したＵＥは現実的に受信器の電源をオフとする部分がないため、バッテリーの浪費をもたらすようになる。
【００２６】
第２に、ＭＢＭＳに加入したＵＥは、自分の有しているＤＲＸ周期以外にＭＢＭＳに対して定義されたＤＲＸ周期或いはＭＢＭＳ別に定義されたＤＲＸ周期を有していると、受信器をよく動作させなければならないため、ＤＲＸ周期を使用する目的を達成することが難しくなる。
【発明の開示】
【発明が解決しようとする課題】
【００２７】
したがって、上記したような問題点を解決するために、本発明の目的は、移動通信システムでＭＢＭＳを提供する移動通信システムでの効率的な呼び出し方法を提供することにある。
本発明の他の目的は、ＭＢＭＳを希望する移動端末機が必要な時点のみで目覚めるようにすることで、電力消耗を最小化する呼び出し方法を提供することにある。
【００２８】
本発明の目的は、ＭＢＭＳを提供する移動通信システムでＭＢＭＳだけのための呼び出し識別チャンネルを有するようにする方法を提供することにある。
さらに、本発明の目的は、ＭＢＭＳを提供する移動通信システムで、従来の音声呼或いはパケット呼による呼び出しに使用された呼び出し識別チャンネルと他の別途の呼び出し識別チャンネルを使用する呼び出し方法を提供することにある。
【００２９】
本発明の目的は、ＭＢＭＳを提供する移動通信システムで、ＭＢＭＳのための呼び出し識別チャンネルを通じて制御情報の存在有無を知らせ、ＭＣＣＨを通じて制御情報の存在を再確認可能にするメッセージを伝送し、更にＭＣＣＨを通じて制御情報を伝送する呼び出し方法を提供することにある。
本発明の他の目的は、ＭＢＭＳのための呼び出し識別チャンネルを使用することにおいて、ＭＢＭＳを支援しない移動端末機に対する誤動作を低減することができる方法を提供することにある。
【００３０】
また、本発明の目的は、ＭＢＭＳのための呼び出し識別チャンネルを使用することにおいて複数のＭＢＭＳが存在しても効率的な呼び出し方法を提供することにある。
本発明の目的は、ＭＢＭＳのための呼び出し識別チャンネルに対するチャンネル情報を既存の呼び出し識別チャンネルに関するチャンネル情報が伝送される放送チャンネルのシステム情報ブロックに伝送する方法を提供することにある。
【００３１】
本発明の他の目的は、ＭＢＭＳのための呼び出し識別チャンネルに関するチャンネル情報を別途のシステム情報ブロックに規定して伝送する方法を提供することにある。
本発明のまた他の目的は、ＭＢＭＳのための呼び出し識別チャンネルがＭＣＣＨを伝送するＳ-ＣＣＰＣＨと時間的に連動されて伝送可能になって移動端末機がＳ-ＣＣＰＣＨを效率的に受信する方法を提供することにある。
【００３２】
本発明の目的は、移動端末機がＤＲＸ周期に対応してＰＯでＭＢＭＳのための呼び出し識別チャンネルを受信可能にする装置及び方法を提供することにある。
また、本発明の目的は、ＭＢＭＳのための呼び出し識別チャンネルとＭＢＭＳを識別するための情報をマッピングする方法を提供することにある。
【課題を解決するための手段】
【００３３】
上記のような目的を達成するために、本発明は、少なくとも一つの移動端末機と、前記少なくとも一つの移動端末機に対してマルチメディアブロードキャスト/マルチキャストサービス(ＭＢＭＳ)を提供する無線接続網を有する移動通信システムで、前記無線接続網が前記ＭＢＭＳのために前記移動端末機を呼び出す方法であって、前記放送サービスの呼び出しがあることを識別するための呼び出し識別チャンネルに関する第１のチャンネル情報を少なくとも一つの移動端末機に伝送する段階と、前記放送サービスの呼び出し情報を伝送するための制御チャンネルに関する第２のチャンネル情報を前記移動端末機に伝送する段階と、前記放送サービスに対応して前記移動端末機の呼び出し要求が発生するときに前記放送サービスに対応して呼び出し識別チャンネルを伝送する段階と、前記呼び出し識別チャンネルの伝送に対応して前記放送サービスの呼び出し情報を前記制御チャンネルを通じて伝送する段階とを有することを特徴とする。
【００３４】
また、本発明は、少なくとも一つの移動端末機と、前記少なくとも一つの移動端末機に対してマルチメディアブロードキャスト/マルチキャストサービス(ＭＢＭＳ)を提供する無線接続網を有する移動通信システムで、前記移動端末機が前記無線接続網から前記放送サービスのための呼び出しを受信する方法であって、前記放送サービスの呼び出しがあることを識別するための呼び出し識別チャンネルに関する第１のチャンネル情報を受信する段階と、前記無線接続網から前記放送サービスの呼び出し情報を伝送するための制御チャンネルに関する第２のチャンネル情報を受信する段階と、前記無線接続網からの前記呼び出し識別チャンネルを前記第１のチャンネル情報を通じて受信する段階と、前記放送サービスに対応する制御チャンネルの伝送が前記呼び出し識別チャンネルによって確認されると、前記無線接続網からの前記制御チャンネルを前記第２のチャンネル情報を通じて受信する段階と、前記制御チャンネルを通じて受信した呼び出し情報により前記放送サービスが呼び出したか否かを確認する段階とを含むことを特徴とする。
【発明の効果】
【００３５】
本発明は、ＭＢＭＳ関連制御情報の伝送或いはデータの伝送において、ＵＥに制御情報の伝送又はデータの伝送が存在することを知らせる呼び出し方法を提案し、呼び出し方法においてＭＢＭＳを支援しない他のＵＥの誤動作を防ぐためにＭＢＭＳ ＰＩＣＨを使用する。また、ＭＢＭＳ ＰＩＣＨのチャンネル構造を提案し、ＭＢＭＳ ＰＩＣＨチャンネル情報を知らせることができる方法を提案する。本発明で提案した方法を使用することによって、ＭＢＭＳを支援するＵＥは、ＭＢＭＳ呼び出し情報を受信することで追加的なバッテリーの損失を極小化することができる。また、ＭＢＭＳを希望しないＵＥが不必要にＳ-ＣＣＰＣＨを受信することを防止することができる。
【発明を実施するための最良の形態】
【００３６】
以下、本発明の望ましい実施形態を添付の図面を参照して詳細に説明する。
本発明に関連した公知の機能及び構成に関する具体的な説明が、本発明の要旨を不明にすると判断された場合に、その詳細な説明を省略する。
また、本発明の効果的な説明のために、移動通信システムに対して非同期移動通信方式の標準である３ＧＰＰの移動通信網を例として説明する。一方、後述する本発明の実施形態による詳細な説明は、ＭＢＭＳを適用対象としているが、それ以外の放送サービスに共通して適用できることは自明なことであろう。
【００３７】
後述する本発明の実施形態では、移動端末機の電力が無駄に浪費されることを防止するために、ＭＢＭＳのための新たな呼び出し方法を提案する。これは、ＭＢＭＳを要求したＵＥが必要な時点のみでＭＢＭＳに対応する呼び出し有無を確認可能にすることによって、バッテリー消耗を低減するためである。したがって、本発明の実施形態による呼び出し方法は、これを適用するＵＥの状態が定義されるべく、ＭＢＭＳのための呼び出し識別チャンネルが新たに定義されるべきである。
【００３８】
また、新たに定義されるＰＩＣＨを受信するための制御情報の伝送手順と、制御情報を伝送するためのシステム情報ブロックの構造が定義されるべきである。
なお、ＰＩＣＨとＭＢＭＳによるＳ-ＣＣＰＣＨの関係が定義されるべきである。後述する説明では、音声呼又はパケット呼に対応する呼び出し識別チャンネルに対しては“ＰＩＣＨ”と呼ばれ、ＭＢＭＳのために新たに提案された呼び出し識別チャンネルに対しては“ＭＢＭＳ ＰＩＣＨ”と呼ばれる。
【００３９】
本発明の実施形態は、所定のＭＢＭＳを要求した後に、ＩＤＬＥ状態、ＣＥＬＬ_ＰＣＨ状態、ＵＲＡ_ＰＣＨ状態のうちの一つの状態のＵＥに対して適用可能である。ここで、前述した状態を説明すると、次のようである。
(１)ＣＥＬＬ_ＰＣＨ状態：ＣＥＬＬ_ＰＣＨ状態でＵＥは、自分のＤＲＸパラメーターによるＰＯでＰＩＣＨを受信し、ＦＡＣＨのような他の下方チャンネルは受信しない。ＵＥにデータを伝送するに先立ち、ＲＮＣは、呼び出し手順を通じてＵＥがをＥＬＬ_ＦＡＣＨ状態に遷移させる。同様に、ＵＥは、ＲＮＣにデータを伝送するに先立ってＣＥＬＬ_ＦＡＣＨ状態に遷移すべきである。ＲＮＣは、ＵＥの位置をセル単位で追跡する。呼び出し手順にはＲＮＣによって定められたＤＲＸパラメーターを用いる。
【００４０】
(２)ＵＲＡ_ＰＣＨ状態：ＲＮＣがＵＥの位置を複数のセルを含むＵＲＡ(ＵＴＲＡＮ Ｒｅｇｉｓｔｒａｔｉｏｎ  Ａｒｅａ:複数のセルで構成された領域)単位で追跡するという点を除けば、前述したＣＥＬＬ_ＰＣＨ状態と同一である。
(３)ＩＤＬＥ状態：ＲＮＣは、ＵＥの位置を知らず、ＣＮの要求に基づいてＵＥを呼び出すことができる。呼び出し手順は、ＣＮで決定するＤＲＸパラメーターが用いられることを除けば、前述したＣＥＬＬ_ＰＣＨ状態の呼び出し手順と同一である。ＲＮＣとＵＥがデータを送受信するためには、無線リソース制御(Ｒａｄｉｏ  Ｒｅｓｏｕｃｅ  Ｃｏｎｔｒｏｌ：以下、“ＲＲＣ”とする)接続セットアップ過程が先行されなければならない。
【００４１】
一般的な呼び出し手順において、ＵＥは、周期的にＮｏｄｅ  Ｂから伝送されるＰＩＣＨ信号を受信する。受信したＰＩＣＨ信号を通じて、ＵＥにＰＣＨ信号が伝送されるか否かを判断する。ＰＩＣＨに関する情報は、ＢＣＨのシステム情報ブロック(Ｓｙｓｔｅｍ  Ｉｎｆｏｒｍａｔｉｏｎ  Ｂｌｏｃｋ：以下、“ＳＩＢ”とする)に含まれている。したがって、ＵＥは、ＢＣＨを確認することによってＰＩＣＨ情報が得られる。
【００４２】
一方、呼び出し手順は、ネットワークが所定のＵＥを呼び出す一般過程を意味する。ネットワークがＵＥを呼び出す場合に、ＵＥの電力消耗を最小化するためにＤＲＸ方式を使用する。ＤＲＸ方式は、ＵＥは呼び出しメッセージ(ｐａｇｉｎｇ  ｍｅｓｓａｇｅ)を受信するために受信器をターンオン(ｔｕｒｎ  ｏｎ)する時点をネットワークと予め設定し、その設定した時点のみで呼び出しメッセージを受信する方式を意味する。ＵＥは、ＤＲＸ方式を使用することによって、ネットワークと予め設定した時点のみで受信器をターンオンし、設定した時点以外の残り時点では受信器をターンオフ(ｔｕｒｎ  ｏｆｆ)することで、電力消耗を最小化する。
【００４３】
これをより具体的に説明すると、ＵＥは、呼び出し時点(Ｐａｇｉｎｇ  Ｏｃｃａｓｉｏｎ：以下、“ＰＯ”とする)にＰＩＣＨ信号を受信する。受信したＰＩＣＨ信号の該当呼び出し表示(Ｐａｇｉｎｇ  Ｉｓｔａｎｃｅ：以下、“ＰＩ”とする)が“１”に設定されている場合に、ＵＥはＰＣＨを通じて伝送される呼び出しメッセージを受信する。
【００４４】
本発明では、ＵＥが前述した一般的な標準呼び出し(Ｎｏｒｍａｌ  ｐａｇｉｎｇ)の手順とＭＢＭＳ呼び出し(ＭＢＭＳ  ｐａｇｉｎｇ)の手順を同時に遂行することができる方法を提示する。標準呼び出しは、音声呼又はパケット呼によって遂行される呼び出し手順として定義でき、ＭＢＭＳ呼び出しはＭＢＭＳに対応して遂行される呼び出し手順として定義できる。
【００４５】
図５は、本発明の実施形態により、放送サービスに関する制御情報の存在を知らせるための呼び出し手順を示す図である。図５を参照すると、ＰＩＣＨ５０１は、所定のＵＥが自機を呼び出す標準呼び出しがあるか否かが確認可能な呼び出し識別チャンネルである。ＭＢＭＳ ＰＩＣＨ５１１は、ＵＥが加入されているＭＢＭＳに対するＭＢＭＳ呼び出しがあるか否かが確認可能な呼び出し識別チャンネルである。ＰＩＣＨ５０１は、ＰＣＨを伝送するＳ-ＣＣＰＣＨ５０２と時間的に連動されている。３ＧＰＰでは、ＰＩＣＨ５０１とＳ-ＣＣＰＣＨ５０２の伝送時間差を７６８０チップ(おおよそ２ms）に規定している。ＭＢＭＳ ＰＩＣＨ５１１とＭＣＣＨを伝送するＳ-ＣＣＰＣＨ５１２も時間的に連動されており、ＭＢＭＳ ＰＩＣＨ５１１とＳ-ＣＣＰＣＨ５１２との伝送時間差はＴＭＢＭＳ−ＰＩＣＨ５０３に規定できる。ＴＭＢＭＳ−ＰＩＣＨ５０３は、ＰＩＣＨ５０１とＳ-ＣＣＰＣＨ５０２の伝送時間差と同一の値又は異なる値となりうる。このＰＩＣＨ５０１とＳ-ＣＣＰＣＨ５０２との伝送時間差が２５６＊ｋ(ｋ＝１，２，…，１４９)に３ＧＰＰで規定されているため、ＴＭＢＭＳ−ＰＩＣＨ５０３は、２５６＊１(ｋ＝１，２，…，１４９)の整数倍の値を有する。このＴＭＢＭＳ−ＰＩＣＨ５０３が、ただ一つの値として使用されると、別途のシグナリングを通じてＴＭＢＭＳ−ＰＩＣＨ５０３の値を知らせる必要はない。しかしながら、このＴＭＢＭＳ−ＰＩＣＨ５０３が変動可能な値であると、ＢＣＨを通じて知らせることもできる。
【００４６】
図５で、ＰＩＣＨ５０１とＭＢＭＳ ＰＩＣＨ５１１を受信するＵＥは、ＵＥ ＰＯで２つのＰＩＣＨ５０１，５１１を同時に受信して標準呼び出しとＭＢＭＳ呼び出しがあるか否かを確認する。標準呼び出しがある場合には、ＵＥは、Ｓ-ＣＣＰＣＨ５０２を受信して呼び出しメッセージがあるかを 確認する。あるいは、ＭＢＭＳ呼び出しがある場合には、ＵＥは、Ｓ-ＣＣＰＣＨ５１２を受信して呼び出しメッセージがあるかを確認する。標準呼び出しとＭＢＭＳ呼び出しが同時に存在するときには、ＵＥが受信能力があると、Ｓ-ＣＣＰＣＨ５０２，５１２を同時に受信する。しかしながら、ＵＥに受信能力がないと、受信順序は、ＵＥの上位階層で決定した優先順位によって決定される。
【００４７】
ＰＩＣＨ５０１及びＭＢＭＳ ＰＩＣＨ５１１は、上に定義したように、一つの無線フレームで２８８個のＰＩを伝送する。ＭＢＭＳ ＰＩＣＨ５１１は、３００個のビットを伝送するが、本発明では標準呼び出しを伝送するＰＩＣＨとの互換性のために２８８ビットのみを伝送すると仮定する。前述したように、標準呼び出しのためのＰＩＣＨで伝送される２８８ビットはそれぞれの呼び出しグループに一定個数ずつ割り当てられる。したがって、呼び出しグループの各々に割り当てられるＰＩＣＨビットの数は、２，４，８，１６となる。一つのＰＩＣＨフレームで伝送可能なＰＩの数をＮｐと定義し、このＮｐの値は１４４，７２，３６，１８のうちのいずれか一つの値となりうる。ＵＥは、下記の（式１）でＵＥが属する呼び出しグループを探して呼び出しグループに対するＰＩの値を確認することができる。
【００４８】
（式１）
ＰＩ＝ＩＭＳＩ  ｍｏｄ  Ｎｐ
【００４９】
＜式１＞で、ＩＭＳＩ(Ｉｎｔｅｒｎａｔｉｏｎａｌ  Ｍｏｂｉｌｅ  Ｓｕｂｓｃｒｉｂｅｒ  Ｉｄｅｎｔｉｔｙ）は、ＵＥに割り当てられる永久識別子の役割をする。（式１）で、ｍｏｄはモジュラ演算を意味し、このモジュラ演算の結果は、ｍｏｄ演算子の後に位置した数でｍｏｄ演算子の前の数を割った残りとなる。例えば、５ｍｏｄ２の結果は１となる。
【００５０】
ＵＥは、呼び出しグループのＰＩを確認することによって、ＵＥに対する呼び出しがあるか否かを確認する。例えば、Ｎｐの値が１８で、ＵＥのＩＭＳＩ値とＮｐのｍｏｄ結果が１であると、１７番目のビットから３１番目のビットがＵＥに割り当てられた呼び出しグループに対するＰＩとなる。ＰＩが正の値を有すると、ＵＥはＰＩＣＨに対応するＳ-ＣＣＰＣＨを受信する。ＰＩが負の値を有すると、ＵＥはＤＲＸ周期によって次のＰＯを待機するようになる。
【００５１】
本発明で提案されたＭＢＭＳ ＰＩＣＨ５１１も、標準呼び出しのためのＰＩＣＨ５０１の場合と同様に、ＭＢＭＳのためのＰＩ(以下、“ＭＢＭＳ ＰＩ”とする)とＵＥが加入されたＭＢＭＳとの対応関係が規定される。この対応関係は、下記の（式２）のように規定されることが可能である。
（式２）
ＭＢＭＳ  ＰＩ＝ＴＭＧＩ  ｍｏｄ  ＮＭｐ
【００５２】
（式２）で、ＮＭｐは、一つの無線フレームに伝送されるＭＢＭＳ ＰＩの数を意味し、１８，３６，７２，１４４の値を有する。ＮＭｐの値は、ＭＢＭＳに加入したＵＥが予めセルのシステム情報を伝送するＢＣＨを通じて受信可能である。（式２）で、ＴＭＧＩ(Ｔｅｍｐｏｒａｒｙ  ＭＢＭＳ  Ｇｒｏｕｐ  Ｉｄｅｎｔｉｔｙ)は、ＳＧＳＮ、ＢＭ-ＳＣ、又はＲＮＣで任意のＭＢＭＳに対して割り当てることができる臨時識別子である。また、ＴＭＧＩは、ＵＥが要求したＭＢＭＳと他のＭＢＭＳとを区別するときに使用する。
【００５３】
本発明では、ＴＭＧＩを用いてＵＥが加入したＭＢＭＳに対するＰＩを探すことを仮定している。しかしながら、ＭＢＭＳに対する永久識別子が使用されることもある。ＴＭＧＩは、ＵＥがＭＢＭＳに加入する段階で獲得可能である。
ＵＥは、（式２）により決定されたＭＢＭＳ ＰＩ値を用いて自分のＴＭＧＩを受信する。すなわち、ＵＥは、要求したＭＢＭＳに対する制御情報或いはデータの送信を知らせるＭＢＭＳ呼び出し情報があることを知らせるＭＢＭＳ ＰＩを受信するようになる。
【００５４】
正の値を有するＭＢＭＳ ＰＩを受信すると、ＵＥは、Ｓ-ＣＣＰＣＨ５１２を受信する。Ｓ-ＣＣＰＣＨ５１２に伝送される伝送チャンネルであるＦＡＣＨを受信する。その後、ＵＥは、ＦＡＣＨ内に伝送されるＭＣＣＨを受信し、ＭＢＭＳ ＰＩに対応するＭＢＭＳに関する呼び出し情報があるか否かを確認する。ＭＢＭＳに関する呼び出し情報は、ＭＢＭＳ識別子を含み、必要に応じて他の情報も含むことができる。
【００５５】
また、ＭＢＭＳ ＰＩＣＨとＭＢＭＳ ＰＩの送信において、ＭＢＭＳ ＰＩＣＨを通じて伝送される情報、すなわち、任意のＭＢＭＳに対する呼び出しが全くない区間ではＭＢＭＳ ＰＩＣＨを通じて伝送しないことができる。ＭＢＭＳ ＰＩＣＨが伝送される場合に、ＭＢＭＳ ＰＩＣＨを通じて伝送されるＭＢＭＳ ＰＩのうち、ＭＢＭＳ ＰＩに対応する呼び出し情報を有するＭＢＭＳ ＰＩが伝送される。しかしながら、ＭＢＭＳ ＰＩに対応する呼び出し情報のないＭＢＭＳ ＰＩは伝送されない可能性がある。ＭＢＭＳ ＰＩＣＨとＭＢＭＳ ＰＩの不連続的な伝送を使用する場合に、基地局の送信電力を節約することができるという長所がある。
【００５６】
図６Ａ〜図６Ｃは、本発明の実施形態によるＭＢＭＳ ＰＩＣＨに対するチャンネル情報を知らせる例を示す図である。
図６Ａは、現在３ＧＰＰで上方/下方共通チャンネルのチャンネル情報を知らせるのに使用するＳＩＢ５とＳＩＢ６にＭＢＭＳ ＰＩＣＨに関するチャンネル情報を追加する例を示す。ＳＩＢ５とＳＩＢ６はＢＣＨを通じて伝送される。このＳＩＢ５は、アイドルモード(ｉｄｌｅ  ｍｏｄｅ)のＵＥが使用する上方/下方共通チャンネルに関する情報で、ＳＩＢ６は、ＲＲＣ接続のあるＵＥが使用する上方/下方共通チャンネルに関する情報である。ＢＣＨは、ＳＩＢ５及びＳＩＢ６以外に１６種類の異なるＳＩＢを伝送可能である。これら１６種類の相互に異なるＳＩＢについては、本発明と関連がないため、その具体的な説明を省略する。
【００５７】
図６Ａにおいて、参照番号６０１はＳＩＢ５、ＳＩＢ６であることを知らせる識別子で、参照番号６０２はＳＩＢ５、ＳＩＢ６に含まれる他の情報要素(Ｉｎｆｏｒｍａｔｉｏｎ  Ｅｌｅｍｅｎｔ：以下、“ＩＥ”とする)を示す。他のＩＥ６０２は、本発明とは直接的な関連がないため、詳細な説明は省略する。
【００５８】
参照番号６０３は、ＰＣＨを伝送するＳ-ＣＣＰＣＨに関するチャンネル情報及び他のＩＥを示す。Ｓ-ＣＣＰＣＨに関するチャンネル情報及び他のＩＥは、Ｓ-ＣＣＰＣＨが使用する物理チャンネル情報及びこのＳ-ＣＣＰＣＨを通じて伝送される伝送チャンネルの情報、伝送チャンネルの伝送組合情報などになることができる。参照番号６０５は、参照番号６０３に規定されているＳ-ＣＣＰＣＨが伝送するＰＣＨに対応するＰＩＣＨに対する物理チャンネル情報として、ＰＩＣＨが使用するスクランブルコードと直交符号などになりうる。このスクランブルコードは、基地局と基地局或いは同一基地局内で相互に異なる下方物理チャンネルを区別するのに用いられる符号である。直交符号は、相互に異なる下方物理チャンネルが同一のスクランブルコードを使用する場合に、相互に異なる下方物理チャンネルを区別可能にする符号である。参照番号６０４は、ＭＣＣＨを伝送するＦＡＣＨを有するＳ-ＣＣＰＣＨに関するチャンネル情報及び他のＩＥである。
【００５９】
参照番号６０４と参照番号６０３が使用するＩＥは、同一であるが、ＩＥの内容が相互に異なる。参照番号６０６は、ＭＣＣＨを伝送するＦＡＣＨを有するＳ-ＣＣＰＣＨに対応するＭＢＭＳ ＰＩＣＨに関するチャンネル情報である。この参照番号６０６は、ＭＢＭＳ ＰＩＣＨが使用する物理チャンネル情報と共に、このＭＢＭＳ ＰＩＣＨとＭＣＣＨを伝送するＦＡＣＨを有するＳ-ＣＣＰＣＨとの伝送時間差情報も含むことが可能である。
【００６０】
現在、３ＧＰＰではＰＣＨを伝送するＳ-ＣＣＰＣＨのみが一つのＰＩＣＨと対応し、一つのＳ-ＣＣＰＣＨはただ一つのＰＣＨのみを含むことができる。図６Ａでは、ＰＣＨを有しないＳ-ＣＣＰＣＨもＭＣＣＨを伝送すると、ＭＢＭＳ ＰＩＣＨを有するように提案した。
【００６１】
図６Ｂは、ＰＣＨとＭＣＣＨを伝送するＦＡＣＨが一つのＳ-ＣＣＰＣＨに伝送される場合に、そのＭＢＭＳ ＰＩＣＨに関するチャンネル情報をＳＩＢ５と６に追加する方法に対する例を示す図である。
図６Ｂにおいて、参照番号６１１、６１２は図６Ａの６０１、６０２と同一である。参照番号６１３は、ＰＣＨ、ＭＣＣＨを伝送するＦＡＣＨに関する情報を知らせるＩＥとなりうる。参照番号６１４は、ＰＣＨに対応するＰＩＣＨのチャンネル情報で、参照番号６１５はＭＣＣＨを伝送するＦＡＣＨに対応するＭＢＭＳ ＰＩＣＨのチャンネル情報である。現在３ＧＰＰ標準では、ただ一つのＰＩＣＨのみが一つのＳ-ＣＣＰＣＨに対応することができる。しかしながら、本発明では、ＭＣＣＨを伝送するＦＡＣＨとＰＣＣＨを伝送するＰＣＨが、一つのＳ-ＣＣＰＣＨを通じて伝送可能であることを勘案して、上記のＳ-ＣＣＰＣＨに標準呼び出しのためのＰＩＣＨとＭＢＭＳ呼び出しのためのＰＩＣＨが対応可能であるものを提案する。
【００６２】
図６Ｃは、ＭＢＭＳのためのＳＩＢが新たに定義される場合に、ＭＢＭＳ ＰＩＣＨに関するチャンネル情報を追加する方法に対する例を示す図である。
図６Ｃにおいて、参照番号６２１は、ＭＢＭＳ用ＳＩＢのための新たなＳＩＢ識別番号となる。参照番号６２２は、ＭＢＭＳのための他のＩＥとして、ＭＢＭＳに関連したシステム情報などとなる。参照番号６２３は、ＭＣＣＨを伝送するＳ-ＣＣＰＣＨに関する情報となる。この場合に、ＳＩＢ５と６には、ＭＣＣＨを伝送するＳ-ＣＣＰＣＨに対するチャンネル情報が伝送されない可能性がある。
【００６３】
参照番号６２４は、ＭＢＭＳ ＰＩＣＨに関するチャンネル情報である。ＭＢＭＳ用ＳＩＢを別に規定し、それによる利点はＭＢＭＳを支援しないＵＥが不要にＭＢＭＳ用情報を受信する必要がない。また、ＳＩＢ５と６は、すべてのＵＥが使用する共通チャンネルに関する情報を有しているＳＩＢであるため、ＭＢＭＳ用ＳＩＢが別に規定されると、ＳＩＢ５と６の固有特性も維持可能である。ＭＢＭＳ ＰＩＣＨ関連情報以外にＭＢＭＳ ＰＩＣＨ伝送電力情報が伝送され、ＵＥがＭＢＭＳ ＰＩＣＨ受信を容易にすることもできる。
【００６４】
上記に説明した本発明の提案を更に要約すると、次のようである。
１．ＭＢＭＳ用ＰＩＣＨは、別に定義する。ＭＢＭＳ用ＰＩＣＨを別に定義することによって、ＭＢＭＳを支援しないＵＥの誤動作を防止することができる。
２．ＵＥは、ＭＢＭＳ ＰＩＣＨを元に有しているＤＲＸ周期により受信する。したがって、ＭＢＭＳを支援するＵＥのバッテリー消耗量を減らすことができる。
３．ＭＣＣＨを伝送するＳ-ＣＣＰＣＨはＭＢＭＳ ＰＩＣＨに対応する。
４．ＭＢＭＳ ＰＩＣＨのチャンネル情報は、ＳＩＢ５と６或いはＭＢＭＳのために定義されたＳＩＢで、ＵＥに伝送可能である。
【００６５】
図７は、本発明の実施形態による移動端末機における受信器の構造を示す図である。図７は、本発明の実施形態を説明することにおいて不要な部分は省略する。また、基地局は既に数個のＰＩＣＨの伝送が可能な構造を有しているため、基地局送信器に対する説明も省略する。
【００６６】
図７を参照すると、無線処理部(ＲＦ部)７０１は、無線信号(Ｒａｄｉｏ  Ｓｉｇｎａｌ)を基底帯域(Ｂａｓｅｂａｎｄ)信号に変換して出力する。ＲＦ部７０１によって基底帯域信号に変換された下方信号は、デスクランブラー(ｄｅｓｃｒａｍｂｌｅｒ)７０２で所定のスクランブルコードによってデスクランブリングされる。したがって、このデスクランブル信号は、他の基地局の信号或いはＰＩＣＨとＭＢＭＳ ＰＩＣＨと他のスクランブルコードを使用するチャンネルと区別される。その後、逆拡散部(ｄｅｓｐｒｅａｄｅｒ)７０３で所定のチャンネル化コードによって逆拡散されて非ＭＢＭＳ(ｎｏｎ-ＭＢＭＳ)ＰＩ７０４とＭＢＭＳ ＰＩ７０５に各々出力される。これらＰＩ７０４とＰＩ７０５は、同時に受信されることができるが、そうでないこともある。これらＰＩ７０４とＰＩ７０５が同時に受信される場合に、ＰＣＨの確認或いはＭＣＣＨの確認の優先順位は、上位階層の命令に従う。
【００６７】
図８は、本発明の実施形態により無線接続網で遂行される動作の一例を示すフローチャートである。また、図９は、本発明の実施形態により移動端末機で遂行される動作の一例を示すフローチャートである。
図８を参照すると、ステップ８０１で、ＵＴＲＡＮは、ＭＢＭＳのためのＭＢＭＳ ＰＩＣＨを設定する。その後にステップ８０２で、ＵＴＲＡＮは、ＭＢＭＳ ＰＩＣＨ情報及びＭＢＭＳ ＰＩＣＨに対応するＭＣＣＨを伝送するＳ-ＣＣＰＣＨ情報を伝送する。この情報の伝送方法は、既に図６を参照して説明した。ステップ８０３で、ＵＴＲＡＮは所定のＭＢＭＳに対する通知メッセージ(ｎｏｔｉｆｉｃａｔｉｏｎ  ｍｅｓｓａｇｅ)を受信する。
【００６８】
この通知メッセージを受信した後に、ステップ８０４で、ＵＴＲＡＮは、所定のＭＢＭＳに対する通知メッセージが存在することを知らせるＭＢＭＳ ＰＩビットマップを生成する。ＭＢＭＳ ＰＩビットマップは、ＭＢＭＳ ＰＩＣＨを生成する場合に使用される。ＭＢＭＳ ＰＩビットマップは、ＲＮＣで生成されてＮｏｄｅ  Ｂに伝送される。Ｎｏｄｅ  Ｂは、ＭＢＭＳ ＰＩビットマップに基づいてＭＢＭＳ ＰＩＣＨを生成してそれぞれのセル内のＵＥに伝送する。ＭＢＭＳ ＰＩビットマップは、１０ｍｓごとに伝送可能である。
【００６９】
また、ＭＢＭＳに加入したすべてのＵＥに受信されるように一定時間反復して伝送されなければならないため、ＭＢＭＳ ＰＩＣＨが反復伝送時間パラメーターのように一回のみ伝送されることもできる。
ＵＴＲＡＮ内のＮｏｄｅ  Ｂは、ステップ８０５で、ＭＢＭＳ ＰＩビットマップに対応するＭＢＭＳ ＰＩＣＨを生成し、ステップ８０６に伝送される。
【００７０】
ステップ８０７で、Ｎｏｄｅ  Ｂは、ＭＢＭＳ ＰＩＣＨに対応するＭＣＣＨを含むＳ-ＣＣＰＣＨを伝送する。任意のＭＢＭＳに対する呼び出し情報がＭＣＣＨに伝送される。呼び出し情報は、ＭＢＭＳ ＰＩＣＨの初期伝送後にすぐ伝送されてすべてのＵＥが受信可能に一定時間反復伝送されることができる。
また、この呼び出し情報は、予め定められた値によりすべてのＵＥが聞くことが可能なように、所定回数だけ反復伝送できる。所定回数だけ反復伝送される場合に、ＭＣＣＨを含むＳ-ＣＣＰＣＨを伝送する時点は予め定めることができる。
【００７１】
図９を参照すると、ステップ９０１で、ＵＥは、ＢＣＨを通じて各種チャンネル情報を獲得する。獲得されたチャンネル情報は、ＰＩＣＨのチャンネル情報、ＰＩＣＨに対応するＰＣＨを伝送するＳ-ＣＣＰＣＨのチャンネル情報、ＭＢＭＳ ＰＩＣＨのチャンネル情報、及びＭＢＭＳ ＰＩＣＨに対応するＭＣＣＨを伝送するＳ-ＣＣＰＣＨのチャンネル情報がある。ステップ９０２で、ＵＥは、ＵＥ ＤＲＸ周期を確認してＰＯを計算し、ステップ９０３でＰＩＣＨを確認する時点であるかを判断する。
【００７２】
ステップ９０３で、ＰＩＣＨを確認する時点であると、ＵＥは、ステップ９０４に進行して標準呼び出しのためのＰＩＣＨ及びＭＢＭＳのためのＭＢＭＳ ＰＩＣＨを受信する。ステップ９０５で、ＰＩＣＨにおいて、ＵＥに該当するＰＩの値が“１”であると、ステップ９０６に進行する。一方、上記ＰＩの値が“１”でないと、ステップ９０７に進行する。
【００７３】
ＵＥは、ステップ９０７で、ＭＢＭＳ ＰＩＣＨのＰＩが“１”であるか否かを確認する。ＭＢＭＳ ＰＩＣＨのＰＩの値が“１”でないと、ステップ９０２に戻って前述した手順を反復して遂行する。しかしながら、ＭＢＭＳ ＰＩＣＨのＰＩの値が“１”であると、ＵＥは、ステップ９０８で、Ｓ-ＣＣＰＣＨを通じて伝送されるＭＣＣＨを受信する。
ステップ９０９で、ＭＣＣＨを伝送するＳ-ＣＣＰＣＨの受信時点でないと、ＵＥは、一定時間待機した後に該当時点でＭＣＣＨを伝送するＳ-ＣＣＰＣＨを受信する。
【００７４】
ＵＥは、ステップ９０９で、Ｓ-ＣＣＰＣＨを通じて受信したＭＣＣＨのＭＢＭＳ呼び出しメッセージにＵＥが希望するＭＢＭＳに対する呼び出しメッセージが含まれているか否かを確認する。ステップ９０９で、ＵＥが希望するＭＢＭＳに対する呼び出しメッセージがない場合に、ステップ９０２に戻って前述した手順を反復して遂行する。それとも、ＵＥが希望するＭＢＭＳに対する呼び出しメッセージがＭＢＭＳ呼び出しメッセージに存在する場合に、ステップ９１０に進行して、ＭＢＭＳデータを受信するための無線ベアラー情報を獲得する。無線ベアラー(Ｒａｄｉｏ  Ｂｅａｒｅｒ：以下、“ＲＢ”とする)は、３ＧＰＰでシグナリング或いはデータを伝送できるＵＴＲＡＮとＵＥと間の通路を意味する。ＵＥは、ステップ９１１で、獲得した無線ベアラ情報に基づいて自分が希望するＭＢＭＳによるＭＢＭＳデータを受信する。
【００７５】
以上、本発明の詳細な説明においては具体的な実施形態に関して説明したが、本発明の範囲を外れない限り、様々な変形が可能であることは、当該技術分野における通常の知識を持つ者には自明なことであろう。
【図面の簡単な説明】
【００７６】
【図１】ＭＢＭＳを支援する移動通信システムを構成する無線接続網の構成を示す図である。
【図２】無線接続網のプロトコル構造を示す図である。
【図３】従来のＭＢＭＳに関する制御情報の存在を知らせるための呼び出し手順を示す図である。
【図４】従来の呼び出し識別チャンネルの構造を示す図である。
【図５】本発明の実施形態によりＭＢＭＳに関する制御情報の存在を知らせるための呼び出し手順を示す図である。
【図６Ａ】本発明の実施形態によりＭＢＭＳのための呼び出し識別チャンネルに関するチャンネル情報を知らせる例を示す図である。
【図６Ｂ】本発明の実施形態によりＭＢＭＳのための呼び出し識別チャンネルに関するチャンネル情報を知らせる例を示す図である。
【図６Ｃ】本発明の実施形態によりＭＢＭＳのための呼び出し識別チャンネルに関するチャンネル情報を知らせる例を示す図である。
【図７】本発明の実施形態による移動端末機における受信器構造を示す図である。
【図８】本発明の実施形態により無線接続網で遂行される動作の一例を示すフローチャートである。
【図９】本発明の実施形態による移動端末機で遂行される動作の一例を示すフローチャートである。
【符号の説明】
【００７７】
５０１…ＰＩＣＨ
５０２…Ｓ-ＣＣＰＣＨ
５０３…ＴＭＢＭＳ−ＰＩＣＨ
５１１…ＭＢＭＳ ＰＩＣＨ
５１２…Ｓ-ＣＣＰＣＨ
【図１】
2007510356.tif 000006
【図２】
2007510356.tif 000007
【図３】
2007510356.tif 000008
【図４】
2007510356.tif 000009
【図５】
2007510356.tif 000010
【図６Ａ】
2007510356.tif 000011
【図６Ｂ】
2007510356.tif 000012
【図６Ｃ】
2007510356.tif 000013
【図７】
2007510356.tif 000014
【図８】
2007510356.tif 000015
【図９】
2007510356.tif 000016
【国際調査報告】
2007510356.tif 000017
2007510356.tif 000018